(57)【要約】【課題】精確に角度を測量でき、また測量時間を節約でき、非常に便利且つ実用的な製品である半円尺と墨矩の結合構造を提供する。【解決手段】主として、墨矩と半円尺を一体に結合することにより、比較的に大きいものでも測量でき、墨矩から綿線を固定位置まで引き出して、半円尺の目盛りに合わせて固定位置の角度を測定でき、また、墨矩のスナップ線で固定位置まで直線を画くことができ、多角形の枠の斜辺など精確に測量でき、また、本考案によれば、墨矩が墨矩収納ボックス内に設置されるため、空間を取らない効果が得られる。【選択図】図２
0003139703.tif 000002
【実用新案登録請求の範囲】
【請求項１】
基準板の上方に半円尺が結合され、該半円尺が略半円形で、中央が掘削され、また、その上方に複数の目盛りが設置され、また、半円尺の下方の中央に凹槽が形成され、該凹槽に墨矩が結合され、該墨矩の内部に綿線が巻き取られ、綿線の端部に定位ブロックがあり、該定位ブロックが半円尺の凹槽の下方に係止され、これにより、半円尺で墨矩に合わせて測量する時、墨矩から綿線を引出し、また、定位ブロックが半円尺の凹槽内に係止され、綿線が測量する位置まで引き出され、そして、半円尺の目盛りにより、精確に角度を測量でき、また、位置を確定した時、墨矩のスナップ線で測量する固定位置まで直線を画くことを特徴とする、半円尺と墨矩の結合構造。
【請求項２】
基準板の一側に、墨矩収納ボックスが設置されることを特徴とする、請求項１に記載の半円尺と墨矩の結合構造。
【請求項３】
基準板と半円尺に、互いに結合するための対応するネジ穴が設けられることを特徴とする、請求項１に記載の半円尺と墨矩の結合構造。
【請求項４】
基準板と半円尺との結合が、粘着方式により結合されることを特徴とする、請求項１に記載の半円尺と墨矩の結合構造。
【請求項５】
基準板の上方の一側に、水平気泡を収納する容納空間が形成されることを特徴とする、請求項１に記載の半円尺と墨矩の結合構造。
【考案の詳細な説明】
【技術分野】
【０００１】
本考案は、半円尺と墨矩の結合構造に関し、特に、墨矩と半円尺とを一体に結合するものに関する。
【背景技術】
【０００２】
建築工事は墨矩で半円尺に合わせて測量する場合があり、墨矩と半円尺がばらばらになるため、比較的に大きい測量対象を測量する時、余計な道具が必要とされ、そのため精度が悪くなり、誤差が発生する問題があり、また数多い道具を利用して測量するため、その定位や測量に時間が多く掛かる問題がある。
【考案の開示】
【考案が解決しようとする課題】
【０００３】
本考案の目的は、主として、半円尺と墨矩とを一体に結合して、使用する時、より便利的に測量でき、また、正確的に測量できる半円尺と墨矩の結合構造を提供する。
【課題を解決するための手段】
【０００４】
請求項１の考案は、基準板の上方に半円尺が結合され、該半円尺が略半円形で、中央が掘削され、また、その上方に複数の目盛りが設置され、また、半円尺の下方の中央に凹槽が形成され、該凹槽に墨矩が結合され、該墨矩の内部に綿線が巻き取られ、綿線の端部に定位ブロックがあり、該定位ブロックが半円尺の凹槽の下方に係止され、これにより半円尺で墨矩に合わせて測量する時、墨矩から綿線を引出し、また、定位ブロックが半円尺の凹槽内に係止され、綿線が測量する位置まで引き出され、そして、半円尺の目盛りにより、精確に角度を測量でき、また、位置を確定した時、墨矩のスナップ線で測量する固定位置まで、直線を画くことを特徴とする、半円尺と墨矩の結合構造である。
【０００５】
請求項２の考案は、基準板の一側に、墨矩収納ボックスが設置されることを特徴とする、請求項１に記載の半円尺と墨矩の結合構造である。
【０００６】
請求項３の考案は、基準板と半円尺に、互いに結合するための対応するネジ穴が設けられることを特徴とする、請求項１に記載の半円尺と墨矩の結合構造である。
【０００７】
請求項４の考案は、基準板と半円尺との結合が、粘着方式により結合されることを特徴とする、請求項１に記載の半円尺と墨矩の結合構造である。
【０００８】
請求項５の考案は、基準板の上方の一側に、水平気泡を収納する容納空間が形成されることを特徴とする、請求項１に記載の半円尺と墨矩の結合構造である。
【考案を実施するための最良の形態】
【０００９】
図１乃至図４を参照しながら、本考案は、半円尺と墨矩の結合構造であり、基準板１０の上方に、基準板１０と半円尺３０に形成されたネジ穴１２とネジ穴３２によりネジ３３で螺合されることにより（図１乃至図３のように）、半円尺３０が結合され、また、基準板１０に、粘着方式により半円尺３０が結合されてもよい（図４のように）、また、基準板１０の上方の一側に、水平気泡１４を設置するための容納空間１３が形成され、該半円尺３０が略半円形で、中央が掘削され、また、その上方に複数の目盛り３１が設置され、そして、半円尺３０の下方中央に凹槽３４が形成され、該凹槽３４に墨矩２０が結合され、また、基準板１０の一側に墨矩２０を収納できる墨矩収納ボックス１１が設置され、該墨矩２０の内部に綿線２１が巻き取られ、綿線２１の端部に半円尺３０の凹槽３４の下方に係止できる定位ブロック２２があり、これにより、半円尺３０で墨矩２０に合わせて測量する時、墨矩２０から綿線２１を引出し、その時、定位ブロック２２が半円尺３０の凹槽３４内に係止され、綿線２１を測量する位置まで引き出して、半円尺３０の目盛り３１に合わせて正確的に角度を測量でき、また、位置を確定した時、墨矩２０のスナップ線で、測量する固定位置まで直線を画くことができ、半円尺３０と墨矩２０を一体に結合する構造により、精確に角度を測量することができる。
【００１０】
図５を参照しながら、本考案によれば、壁板４０を測量する場合、半円尺を壁板４０の上方に定位させて、墨矩２０から綿線２１を引出し、半円尺３０の目盛り３１に合わせて角度を測量でき、また、必要に応じて、墨矩２０のスナップ線で直線を画くことができるため、様々の斜辺や矩形状の壁板４０（図５のように）を作れ、これは、本考案を壁板に運用する時のより良い使用状態である。
【００１１】
図６を参照しながら、本考案は屋根５０の測量にも適用でき、半円尺を屋根５０の上方に定位させてから、墨矩２０から綿線２１を引出し、半円尺３０の目盛り３１に合わせて角度を測量でき、また、必要に応じて、墨矩２０のスナップ線で直線を画くことができるため、様々の形態の屋根５０（図６のように）に適用でき、これは、本考案を屋根に運用する時のより良い使用状態である。
【００１２】
図７を参照しながら、本考案は床６０の測量にも適用でき、半円尺を床６０の上方に定位させてから墨矩２０から綿線２１を引出し、半円尺３０の目盛り３１に合わせて角度を測量でき、また、必要に応じて、墨矩２０のスナップ線で直線を画くことができるため、様々の形態の床６０（図７のように）に適用でき、これは本考案を床に運用する時のより良い使用状態である。
【００１３】
図８を参照しながら、本考案はタイル７０の測量にも適用でき、半円尺をタイル７０の上方に定位させてから墨矩２０から綿線２１を引出し、半円尺３０の目盛り３１に合わせて角度を測量でき、また、必要に応じて、墨矩２０のスナップ線で直線を画くことができるため、様々の形態のタイル７０（図８のように）に適用でき、これは本考案をタイルに運用する時のより良い使用状態である。
【００１４】
図９を参照しながら、本考案は戸枠８０の作製や実装測量にも適用でき、半円尺を戸枠８０の上方に定位させてから墨矩２０から綿線２１を引出し、半円尺３０の目盛り３１に合わせて角度を測量でき、また、必要に応じて、墨矩２０のスナップ線で直線を画くことができるため、様々の形態の戸枠８０（図９のように）に適用でき、これは本考案を戸枠に運用する時のより良い使用状態である。
【００１５】
図１０を参照しながら、本考案は多角形状枠９０の作製や測量（例えば、比較的に大きい景観庭園）にも適用でき、半円尺を多角形状枠９０の上方に定位させてから、墨矩２０から綿線２１を引出し、半円尺３０の目盛り３１に合わせて角度を測量でき、また、必要に応じて、墨矩２０のスナップ線で直線を画くことができるため、様々の形態の多角形状枠９０（図１０のように）に適用でき、これは本考案を多角形状枠に運用する時のより良い使用状態である。
【００１６】
本考案に係わる半円尺と墨矩の結合構造は、主として、墨矩と半円尺を一体に結合することにより、比較的に大きいものでも測量でき、墨矩から綿線を固定位置まで引き出して、半円尺の目盛りに合わせて固定位置の角度を測定でき、また、墨矩のスナップ線で固定位置まで直線を画くことができ、多角形の枠の斜辺など精確に測量でき、また、本考案によれば、墨矩が墨矩収納ボックス内に設置されるため、空間を取らない効果が得られ、そのため本考案は精確に角度を測量でき、また測量時間を節約でき、非常に実用的な製品である。
【図面の簡単な説明】
【００１７】
【図１】本考案の組立て外観図
【図２】本考案の組立て分解図
【図３】本考案の実施例の組立て外観図
【図４】本考案の他の実施例の組立て外観図
【図５】本考案の実施例の使用状態図
【図６】本考案の他の実施例の使用状態図
【図７】本考案の他の実施例の使用状態図
【図８】本考案の他の実施例の使用状態図
【図９】本考案の他の実施例の使用状態図
【図１０】本考案の他の実施例の使用状態図
【符号の説明】
【００１８】
１０      基準板
１１      墨矩収納ボックス
１２      ネジ穴
１３      容納空間
１４      水平気泡
２０      墨矩
２１      綿線
２２      定位ブロック
３０      半円尺
３１      目盛り
３２      ネジ穴
３３      ネジ
３４      凹槽
４０      壁板
５０      屋根
６０      床
７０      タイル
８０      戸枠
９０      多角形状枠
【図１】
0003139703.tif 000003
【図２】
0003139703.tif 000004
【図３】
0003139703.tif 000005
【図４】
0003139703.tif 000006
【図５】
0003139703.tif 000007
【図６】
0003139703.tif 000008
【図７】
0003139703.tif 000009
【図８】
0003139703.tif 000010
【図９】
0003139703.tif 000011
【図１０】
0003139703.tif 000012